(57)【特許請求の範囲】
【請求項１】
複数枚のディスクを複数のディスクドライブのそれぞれに供給するように構成されたディスク装置であって、
前記ディスク装置は、
前記複数枚のディスクをそれぞれ収納する複数のマガジンと、
前記複数のマガジンを収納するマガジンストッカーと、
を備え、
前記マガジンストッカーは、装置高さ方向に並んで配置された複数のマガジンユニットを備え、
前記各マガジンユニットは、
前記マガジンをそれぞれ収納する複数のマガジンホルダと、
前記ディスク装置の筐体の側面に沿って装置奥行き方向にスライド可能に設けられ、前記マガジンホルダよりも高い剛性を有するレールと、
装置幅方向に延在する箱状であって、前記レールの前端部に取り付けられる把手部と、
を備え、
前記複数のマガジンホルダは、前記装置奥行き方向に配列され、
前記レールは、前記複数のマガジンホルダを片持ち状態で保持し、
前記把手部は、前記レールの前端部から前記マガジンホルダの自由端側に向けて延在し、前記装置奥行き方向に指が進入可能であって且つ前記装置奥行き方向に前記マガジンユニットを引き出すときに指が引っ掛かることが可能な凹部状の引掛部を備え、
前記把手部は、前記装置幅方向に延在するように前記レールの前端部に片持ち状態で取り付けられる箱状の連結部材と、前記連結部材に対して取り付けられ、前記引掛部を備えるカバー部材とを備え、
前記連結部材は、前記カバー部材が前記連結部材に取り付けられた状態において、前記引掛部に対して前記装置幅方向の両側に配置され、前記カバー部材に取り付けられるボス部を備える、ディスク装置。
【請求項２】
前記カバー部材は、樹脂により形成され、
前記引掛部の内側表面には、リブが設けられている、請求項１に記載のディスク装置。
【請求項３】
前記レールは、前記各マガジンホルダの背面に取り付けられ、
前記各マガジンホルダは、前記背面と対向する正面に前記マガジンを挿抜可能な開口部を有する、請求項１に記載のディスク装置。
【請求項４】
互いに隣接する前記マガジンホルダの側面は、互いに係合するように構成されている、請求項１に記載のディスク装置。
【請求項５】
複数枚のディスクを複数のディスクドライブのそれぞれに供給するように構成されたディスク装置であって、
前記ディスク装置は、
前記複数枚のディスクをそれぞれ収納する複数のマガジンと、
前記複数のマガジンを収納するマガジンストッカーと、
を備え、
前記マガジンストッカーは、装置高さ方向に並んで配置された複数のマガジンユニットを備え、
前記各マガジンユニットは、
前記マガジンをそれぞれ収納する複数のマガジンホルダと、
前記ディスク装置の筐体の側面に沿って装置奥行き方向にスライド可能に設けられ、前記マガジンホルダよりも高い剛性を有するレールと、
装置幅方向に延在する箱状であって、前記レールの前端部に取り付けられる把手部と、
を備え、
前記複数のマガジンホルダは、前記装置奥行き方向に配列され、
前記レールは、前記複数のマガジンホルダを片持ち状態で保持し、
前記把手部は、前記レールの前端部から前記マガジンホルダの自由端側に向けて延在し、前記装置奥行き方向に指が進入可能であって且つ前記装置奥行き方向に前記マガジンユニットを引き出すときに指が引っ掛かることが可能な凹部状の引掛部を備え、
前記把手部は、前記装置幅方向に進退移動可能なロック部材を有し、
前記ロック部材は、前記マガジンユニットが前記ディスク装置内に収納された状態で進出移動することにより、前記ディスク装置の一部と接触可能になり、前記マガジンユニットの前記装置奥行き方向の移動を規制する、ディスク装置。
【請求項６】
複数枚のディスクを複数のディスクドライブのそれぞれに供給するように構成されたディスク装置であって、
前記ディスク装置は、
前記複数枚のディスクをそれぞれ収納する複数のマガジンと、
前記複数のマガジンを収納するマガジンストッカーと、
を備え、
前記マガジンストッカーは、装置高さ方向に並んで配置された複数のマガジンユニットを備え、
前記各マガジンユニットは、
前記マガジンをそれぞれ収納する複数のマガジンホルダと、
前記ディスク装置の筐体の側面に沿って装置奥行き方向にスライド可能に設けられ、前記マガジンホルダよりも高い剛性を有するレールと、
装置幅方向に延在する箱状であって、前記レールの前端部に取り付けられる把手部と、
を備え、
前記複数のマガジンホルダは、前記装置奥行き方向に配列され、
前記レールは、前記複数のマガジンホルダを片持ち状態で保持し、
前記把手部は、前記レールの前端部から前記マガジンホルダの自由端側に向けて延在し、前記装置奥行き方向に指が進入可能であって且つ前記装置奥行き方向に前記マガジンユニットを引き出すときに指が引っ掛かることが可能な凹部状の引掛部を備え、
前記レールの後端部には、前記マガジンユニットが前記ディスク装置内に収納されたとき、前記ディスク装置の一部と接触し、前記マガジンユニットの後部の前記装置高さ方向の位置を位置決めする位置決め部が設けられている、ディスク装置。
【発明の詳細な説明】
【技術分野】
【０００１】
本開示は、複数のディスクドライブのそれぞれにディスク（ＣＤやＤＶＤなどのディスク状の情報記憶媒体）を供給するように構成されたディスク装置に関する。
【背景技術】
【０００２】
従来、この種のディスク装置として、例えば、特許文献１（特開２０１３−２２９０８７号公報）に記載された装置が知られている。図１１は、従来のディスク装置の構成を模式的に示す斜視図である。
【０００３】
従来のディスク装置は、２つのマガジンストッカー１０１，１０１を備えている。２つのマガジンストッカー１０１，１０１は、底シャーシ１１１上において、装置幅方向Ｙ１に互いに対向するように設けられている。なお、図１１では、一方（手前側）のマガジンストッカー１０１の図示を省略している。
【０００４】
各マガジンストッカー１０１には、複数のマガジン１０２が収納されている。各マガジン１０２は、複数枚のディスクを収納するマガジントレイ１２１を有している。２つのマガジンストッカー１０１，１０１の間には、複数のマガジン１０２の中から選択された１つのマガジン１０２からマガジントレイ１２１を引き出し、当該マガジントレイ１２１を保持するピッカー１０３が設けられている。
【０００５】
ピッカー１０３は、当該保持したマガジントレイ１２１を、装置後側に配置された複数のディスクドライブ１０４の近傍まで搬送するように構成されている。ピッカー１０３には、マガジントレイ１２１から複数枚のディスクを押し出すリフター１０５が一体的に設けられている。
【０００６】
ディスクドライブ１０４は、ディスクに対して情報の記録又は再生を行う装置である。また、ディスクドライブ１０４は、トレイを用いてディスクをローディングするトレイ方式のディスクドライブである。複数のディスクドライブ１０４は、装置高さ方向Ｚ１に積層され、装置後側において各マガジンストッカー１０１，１０１に隣接して配置されている。一方のマガジンストッカー１０１に隣接して積層配置された複数のディスクドライブ１０４と、他方のマガジンストッカー１０１に隣接して積層配置された複数のディスクドライブ１０４との間には、キャリア１０６が設けられている。
【０００７】
キャリア１０６は、リフター１０５により押し出された複数枚のディスクを積層状態で保持し、任意のディスクドライブ１０４から排出されたトレイの上方で、前記保持した複数枚のディスクから１枚のディスクを分離し、当該分離したディスクを前記トレイに載置するように構成されている。
【０００８】
キャリア１０６及び複数のディスクドライブ１０４より更に装置後側には、電気回路及び電源１０７が設けられている。電気回路及び電源１０７には、ピッカー１０３、ディスクドライブ１０４、キャリア１０６などの各装置の動作（モータ等）を制御する制御部が設けられている。当該制御部は、例えば、データを管理するホストコンピュータに接続されている。ホストコンピュータは、オペレータの指示に基づき、指定のマガジン１０２へのデータの書き込み又は読み出し等の動作を行うように制御部に指令を送る。制御部は、当該指令に従い、ピッカー１０３、ディスクドライブ１０４、キャリア１０６などの各装置の動作を制御する。
【０００９】
従来のディスク装置において、マガジンストッカー１０１は、ピッカー１０３を摺動自在にガイドするガイドレール１１２に沿って設けられている。ガイドレール１１２は、装置奥行き方向Ｘ１に延在するように設けられている。マガジンストッカー１０１の装置前側の側面には、把手部１１３が設けられている。把手部１１３を引くことにより、マガジンストッカー１０１を装置前方に移動させることができる。
【先行技術文献】
【特許文献】
【００１０】
【特許文献１】特開２０１３−２２９０８７号公報
【発明の概要】
【発明が解決しようとする課題】
【００１１】
しかしながら、従来のディスク装置においては、１つのマガジンストッカー１０１に多数（例えば、４０個）のマガジン１０２が収納されるので、マガジンストッカー１０１の重量が重くなる（例えば、１５ｋｇ）。このため、把手部１１３を引くのに強い引っ張り力が必要である。この引っ張り力を小さくするため、従来のディスク装置においては、マガジンストッカー１０１の引き出しを容易にするための機構をマガジンストッカー１０１の下部などに配置するようにしている。
【００１２】
しかしながら、この場合、当然ながら、当該機構を配置するスペースが必要になるので、その分、マガジンストッカー１０１内に収納可能なマガジンの数が減ることになる。従って、従来のディスク装置においては、マガジンストッカー１０１の引き出しを容易にするとともに、マガジンストッカー１０１内に収納可能なマガジンの数を増加させるという観点において、未だ改善の余地がある。
【００１３】
本開示は、マガジンストッカーの引き出しを容易にするとともに、マガジンストッカー内に収納可能なマガジンの数を増加させることができるディスク装置を提供する。
【課題を解決するための手段】
【００１４】
本開示の一態様におけるディスク装置は、複数枚のディスクを複数のディスクドライブのそれぞれに供給するように構成されたディスク装置であって、
前記ディスク装置は、
前記複数枚のディスクをそれぞれ収納する複数のマガジンと、
前記複数のマガジンを収納するマガジンストッカーと、
を備え、
前記マガジンストッカーは、装置高さ方向に並んで配置された複数のマガジンユニットを備え、
前記各マガジンユニットは、
前記マガジンをそれぞれ収納する複数のマガジンホルダと、
前記ディスク装置の筐体の側面に沿って装置奥行き方向にスライド可能に設けられ、前記マガジンホルダよりも高い剛性を有するレールと、
装置幅方向に延在する箱状であって、前記レールの前端部に取り付けられる把手部と、
を備え、
前記複数のマガジンホルダは、前記装置奥行き方向に配列され、
前記レールは、前記複数のマガジンホルダを片持ち状態で保持し、
前記把手部は、前記レールの前端部から前記マガジンホルダの自由端側に向けて延在し、前記装置奥行き方向に指が進入可能であって且つ前記装置奥行き方向に前記マガジンユニットを引き出すときに指が引っ掛かることが可能な凹部状の引掛部を備え、
前記把手部は、前記装置幅方向に延在するように前記レールの前端部に片持ち状態で取り付けられる箱状の連結部材と、前記連結部材に対して取り付けられ、前記引掛部を備えるカバー部材とを備え、
前記連結部材は、前記カバー部材が前記連結部材に取り付けられた状態において、前記引掛部に対して前記装置幅方向の両側に配置され、前記カバー部材に取り付けられるボス部を備える。
本開示の別の態様におけるディスク装置は、複数枚のディスクを複数のディスクドライブのそれぞれに供給するように構成されたディスク装置であって、
前記ディスク装置は、
前記複数枚のディスクをそれぞれ収納する複数のマガジンと、
前記複数のマガジンを収納するマガジンストッカーと、
を備え、
前記マガジンストッカーは、装置高さ方向に並んで配置された複数のマガジンユニットを備え、
前記各マガジンユニットは、
前記マガジンをそれぞれ収納する複数のマガジンホルダと、
前記ディスク装置の筐体の側面に沿って装置奥行き方向にスライド可能に設けられ、前記マガジンホルダよりも高い剛性を有するレールと、
装置幅方向に延在する箱状であって、前記レールの前端部に取り付けられる把手部と、
を備え、
前記複数のマガジンホルダは、前記装置奥行き方向に配列され、
前記レールは、前記複数のマガジンホルダを片持ち状態で保持し、
前記把手部は、前記レールの前端部から前記マガジンホルダの自由端側に向けて延在し、前記装置奥行き方向に指が進入可能であって且つ前記装置奥行き方向に前記マガジンユニットを引き出すときに指が引っ掛かることが可能な凹部状の引掛部を備え、
前記把手部は、前記装置幅方向に進退移動可能なロック部材を有し、
前記ロック部材は、前記マガジンユニットが前記ディスク装置内に収納された状態で進出移動することにより、前記ディスク装置の一部と接触可能になり、前記マガジンユニットの前記装置奥行き方向の移動を規制する。
本開示のさらに別の態様におけるディスク装置は、複数枚のディスクを複数のディスクドライブのそれぞれに供給するように構成されたディスク装置であって、
前記ディスク装置は、
前記複数枚のディスクをそれぞれ収納する複数のマガジンと、
前記複数のマガジンを収納するマガジンストッカーと、
を備え、
前記マガジンストッカーは、装置高さ方向に並んで配置された複数のマガジンユニットを備え、
前記各マガジンユニットは、
前記マガジンをそれぞれ収納する複数のマガジンホルダと、
前記ディスク装置の筐体の側面に沿って装置奥行き方向にスライド可能に設けられ、前記マガジンホルダよりも高い剛性を有するレールと、
装置幅方向に延在する箱状であって、前記レールの前端部に取り付けられる把手部と、
を備え、
前記複数のマガジンホルダは、前記装置奥行き方向に配列され、
前記レールは、前記複数のマガジンホルダを片持ち状態で保持し、
前記把手部は、前記レールの前端部から前記マガジンホルダの自由端側に向けて延在し、前記装置奥行き方向に指が進入可能であって且つ前記装置奥行き方向に前記マガジンユニットを引き出すときに指が引っ掛かることが可能な凹部状の引掛部を備え、
前記レールの後端部には、前記マガジンユニットが前記ディスク装置内に収納されたとき、前記ディスク装置の一部と接触し、前記マガジンユニットの後部の前記装置高さ方向の位置を位置決めする位置決め部が設けられている。
【発明の効果】
【００１５】
本開示のディスク装置によれば、マガジンユニットの引き出しを容易にするとともに、マガジンユニット内に収納可能なマガジンの数を増加させることができる。
【図面の簡単な説明】
【００１６】
【図１】実施形態に係るディスク装置の外観斜視図である。
【図２】図１のディスク装置から１つのマガジンユニットを引き出した状態を示す斜視図である。
【図３】図１のディスク装置から１つのマガジンユニットを引き出した状態を示す斜視図である。
【図４】マガジンユニットの斜視図である。
【図５】マガジンユニットの斜視図である。
【図６】マガジンユニットにマガジンが収納された状態を示す斜視図である。
【図７】マガジンユニットにマガジンが収納された状態を示す斜視図である。
【図８】マガジンユニットを、図７の矢印Ａ１で示す方向から見た一部拡大正面図である。
【図９】ディスク装置の高さ方向上側から見た把手部を示す図である。
【図１０】ディスク装置の高さ方向と直交する把手部の断面図である。
【図１１】マガジンユニットから把手部のカバー部材を取り外した状態を示す斜視図
【図１２】カバー部材の裏側を示す斜視図
【図１３】従来のディスク装置の構成を模式的に示す斜視図である。
【発明を実施するための形態】
【００１７】
本開示の第１態様によれば、複数枚のディスクを複数のディスクドライブのそれぞれに供給するように構成されたディスク装置であって、
前記ディスク装置は、
前記複数枚のディスクをそれぞれ収納する複数のマガジンと、
前記複数のマガジンを収納するマガジンストッカーと、
を備え、
前記マガジンストッカーは、装置高さ方向に並んで配置された複数のマガジンユニットを備え、
前記各マガジンユニットは、
前記マガジンをそれぞれ収納する複数のマガジンホルダと、
前記ディスク装置の筐体の側面に沿って装置奥行き方向にスライド可能に設けられ、前記マガジンホルダよりも高い剛性を有するレールと、
装置幅方向に延在する箱状であって、前記レールの前端部に取り付けられる把手部と、
を備え、
前記複数のマガジンホルダは、前記装置奥行き方向に配列され、
前記レールは、前記複数のマガジンホルダを片持ち状態で保持し、
前記把手部は、前記レールの前端部から前記マガジンホルダの自由端側に向けて延在し、前記装置奥行き方向に指が進入可能であって且つ前記装置奥行き方向に前記マガジンユニットを引き出すときに指が引っ掛かることが可能な凹部状の引掛部を備える、ディスク装置を提供する。
【００１８】
本開示の第１態様によれば、マガジンストッカーが、装置高さ方向に並んで配置された複数のマガジンユニットを備えるように構成されている。これにより、１つ当たりのマガジンユニットに収納されるマガジンの数を減らして、その重量を軽くすることができる。
【００１９】
また、本開示の第１態様によれば、マガジンホルダよりも高い剛性を有するレールを備え、当該レールが複数のマガジンホルダを片持ち状態で保持するようにしている。レールが高い剛性を有することにより、マガジンユニット全体の剛性を確保することができる。
【００２０】
さらに、本開示の第１態様によれば、マガジンユニットをディスク装置から引き出すときに指が掛かる把手部は、箱状であるために、剛性が高く、また軽い。そのため、把手部がほとんど撓み変形することがなく、把手部を引っ張る力が、ほぼ無駄なく、レールをディスク装置からスライド移動させるために使用される。また、把手部を含むマガジンユニットが軽量化される。その結果、マガジンユニットの引き出しを小さい力で容易に行うことができる。また、これにより、マガジンユニットの引き出しを容易にするための機構を設ける必要性を無くすことができるので、マガジンユニット内に収納可能なマガジンの数を従来よりも増加させることができる。
【００２１】
本開示の第２態様によれば、前記引掛部は、前記装置奥行き方向に見た場合、レール側に位置するように前記把手部に設けられている、第１態様に記載のディスク装置を提供する。
【００２２】
本開示の第３態様によれば、前記把手部は、前記ディスク装置の前側に位置するマガジンホルダに連結されている、第１または第２態様に記載のディスク装置を提供する。
【００２３】
本開示の第４態様によれば、前記把手部は、前記装置幅方向に延在するように前記レールの前端部に片持ち状態で取り付けられる箱状の連結部材と、前記連結部材に対して取り付けられ、前記引掛部を備えるカバー部材とを備え、
前記連結部材は、前記カバー部材が前記連結部材に取り付けられた状態において、前記引掛部に対して前記装置幅方向の両側に配置され、前記カバー部材に取り付けられるボス部を備える、第１〜第３態様に記載のディスク装置を提供する。
【００２４】
本開示の第５態様によれば、前記カバー部材は、樹脂により形成され、
前記引掛部の内側表面には、リブが設けられている、第４態様に記載のディスク装置を提供する。
【００２５】
本開示の第６態様によれば、前記レールは、金属により形成されている、第１〜５態様のいずれか１つに記載のディスク装置を提供する。
【００２６】
本開示の第７態様によれば、前記レールは、前記各マガジンホルダの背面に取り付けられ、
前記各マガジンホルダは、前記背面と対向する正面に前記マガジンを挿抜可能な開口部を有する、第１〜６態様のいずれか１つに記載のディスク装置を提供する。
【００２７】
本開示の第８態様によれば、互いに隣接する前記マガジンホルダの側面は、互いに係合するように構成されている、第１〜７態様のいずれか１つに記載のディスク装置を提供する。
【００２８】
本開示の第９態様によれば、前記把手部は、前記装置幅方向に進退移動可能なロック部材を有し、
前記ロック部材は、前記マガジンユニットが前記ディスク装置内に収納された状態で進出移動することにより、前記ディスク装置の一部と接触可能になり、前記マガジンユニットの前記装置奥行き方向の移動を規制する、第１〜８態様のいずれか１つに記載のディスク装置を提供する。
【００２９】
本開示の第１０態様によれば、前記レールの後端部には、前記マガジンユニットが前記ディスク装置内に収納されたとき、前記ディスク装置の一部と接触し、前記マガジンユニットの後部の前記装置高さ方向の位置を位置決めする位置決め部が設けられている、第１〜９態様のいずれか１つに記載のディスク装置を提供する。
【００３０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３１】
なお、発明者らは、当業者が本開示を十分に理解するために添付図面及び以下の説明を提供するものであって、これらによって特許請求の範囲に記載の主題を限定することを意図するものではない。
【００３２】
《実施形態》
図１は、実施形態に係るディスク装置の外観斜視図である。なお、実施形態においては、図１の左下側の装置の部分を「装置前側」といい、図１の右上側の装置の部分を「装置後側」という。
【００３３】
実施形態に係るディスク装置１は、２つのマガジンストッカー２を備えている。２つのマガジンストッカー２は、装置幅方向Ｙに互いに対向するように設けられている。各マガジンストッカー２は、装置幅方向Ｙに対して直交又は略直交する装置高さ方向Ｚに並んで配置された複数のマガジンユニット３を備えている。
【００３４】
図２及び図３は、ディスク装置１から１つのマガジンユニット３を引き出した状態を示す斜視図である。マガジンユニット３は、マガジン４をそれぞれ収納する複数のマガジンホルダ５と、ディスク装置１の筐体の側面１ａに沿って、装置幅方向Ｙ及び装置高さ方向Ｚに対して直交又は略直交する装置奥行き方向Ｘにスライド可能に設けられたレール６とを備えている。レール６の前端部（装置前側の端部）には、装置幅方向Ｙに延在するように把手部７が取り付けられている。
【００３５】
マガジン４には、複数枚のディスクが収納されている。ディスク装置１には、複数のマガジン４の中から選択された１つのマガジン４に収納された複数枚のディスクを、複数のディスクドライブのそれぞれに供給するディスク供給機構（図示せず）が設けられている。なお、マガジンストッカー２以外の構成については、特に限定されるものではなく、種々の構成を採ることができる。例えば、従来のディスク装置の構成と同様の構成を採ることができる。このため、ここでは、マガジンストッカー２以外の構成の詳細な説明は省略する。
【００３６】
次に、図４〜図８を用いて、マガジンユニット３の構成についてより詳細に説明する。図４及び図５は、マガジンユニット３の斜視図である。図６及び図７は、マガジンユニット３にマガジン４が収納された状態を示す斜視図である。図８は、マガジンユニット３を、図７の矢印Ａ１で示す方向から見た一部拡大正面図である。
【００３７】
マガジンホルダ５は、例えば、樹脂により形成され、少なくとも１つのマガジン４を収納可能に形成されている。実施形態において、マガジンホルダ５は、２つのマガジン４を装置高さ方向Ｚに並ぶように収納可能に形成されている。マガジンホルダ５の内側には、図５に示すように、マガジンホルダ５内に挿入されたマガジン４を保持可能な保持バネ５ａが設けられている。保持バネ５ａがマガジン４の一部を付勢することにより、マガジン４がマガジンホルダ５内で保持される。
【００３８】
複数のマガジンホルダ５は、装置奥行き方向Ｘに配列されている。互いに隣接するマガジンホルダ５の側面は、図８に示すように、互いに係合するように構成されている。これにより、複数のマガジンホルダ５が直列に一体化されている。各マガジンホルダ５の正面には、図５に示すように、マガジン４を挿抜可能な開口部５ｂが設けられている。
【００３９】
レール６は、各マガジンホルダ５の背面に取り付けられている。各マガジンホルダ５とレール６とは、図４及び図６に示すように、例えば、レール６の複数の貫通穴それぞれを通過する複数のねじ８をマガジンホルダ５の背面の複数のねじ穴に係合させることによって取り付けられている。これにより、レール６は、複数のマガジンホルダ５を片持ち状態で保持する。
【００４０】
レール６は、マガジンホルダ５よりも高い剛性を有する材料、例えば、金属により形成されている。レール６が高い剛性を有することにより、マガジンユニット３全体の剛性が確保されている。すなわち、レール６が高い剛性を有することにより、マガジンユニット３は撓むなどの変形が抑えられている。なお、レール６の装置奥行き方向Ｘの長さは、例えば７００ｍｍである。
【００４１】
レール６の後端部（装置後側の端部）には、図５及び図７に示すように、マガジンユニット３がディスク装置１内に収納されたとき、ディスク装置１の一部と接触し、マガジンユニット３の前部の装置高さ方向Ｚの位置を位置決めする位置決め部９が設けられている。実施形態において、位置決め部９は、最も装置後側に位置するマガジンホルダ５の側面に沿うようにレール６の後端部をＬ字状に折り曲げ、当該折り曲げた部分から装置後側に突出するように設けられた突起部で構成されている。この場合、例えば、ディスク装置１の一部に設けられた凹部に当該突起部が挿入されることにより、マガジンユニット３の前部の装置高さ方向Ｚの位置が位置決めされる。
【００４２】
把手部７は、図４及び図５に示すように、装置幅方向Ｙに延在する箱状であって、レール６の前端部からマガジンホルダ５の自由端側に向けて延在するように取り付けられている。具体的には、把手部７は、ディスク装置１の前側に位置し、装置幅方向Ｙに延在するカバー部材１０と、装置幅方向Ｙに延在するようにレール６の前端部に取付けられる箱状の連結部材１１とを備えている。
【００４３】
カバー部材１０は、例えば、樹脂により形成されている。カバー部材１０はまた、図４及び図６に示すように、マガジンユニット３をディスク装置１から引き出すときに指が引っ掛けられる引掛部１０ａを備える。
【００４４】
引掛部１０ａは、カバー部材１０の外側表面に形成され、装置奥行き方向Ｘにマガジンユニット３を引き出すときに指が引っ掛かることが可能な凹部状である。引掛部１０ａはまた、ディスク装置１の前面側から、すなわち装置奥行き方向Ｘに指が進入可能に構成されている。
【００４５】
例えば、本実施形態の場合、凹部状の引掛部１０ａは、装置幅方向Ｙに見た場合、略「Ｌ字状」の断面形状を備える。また、引掛部１０ａは、４本の指が進入可能な大きさを備える。
【００４６】
このような引掛部１０ａによれば、図１に示すように、複数のマガジンユニット３が装置高さ方向Ｚに密に並んでいる状態において、指を装置奥行き方向Ｘに引掛部１０ａに進入させてマガジンユニット３を引き出すことができる。
【００４７】
なお、本実施形態の場合、凹部状の引掛部１０ａは、マガジンユニット３がディスク装置１から引き出された状態において、装置高さ方向Ｚにも指が進入可能に構成されている。
【００４８】
また、本実施形態の場合、図４及び図６に示すように、引掛部１０ａは、装置奥行き方向Ｘに見た場合にレール６側に位置するように把手部７、すなわちカバー部材１０に設けられている。これにより、指が引掛部１０ａに引っ掛けられてマガジンユニット３がディスク装置１から引き出されたときに、その引っ張り力がレール６に伝わりやすい。その結果、小さい力でマガジンユニット３を容易に引き出すことができる。
【００４９】
次に、把手部７の連結部材１１について説明する。その説明は、図９〜１２を参照しながら行う。
【００５０】
図９は、装置高さ方向Ｚの上側から見た把手部７を示している。図１０は、装置高さ方向Ｚと直交する把手部７の断面図である。図１１は、マガジンユニット３の把手部７のカバー部材１０を取り外した状態を示す図である。そして、図１２は、カバー部材１０の裏側を示す図である。
【００５１】
把手部７の連結部材１１は、図１０に示すように、中空の箱状であって、樹脂により形成されている。連結部材１１は、背面（装置幅方向Ｙの一方の端面）がレール６の前端部に取り付けられている。
【００５２】
例えば、連結部材１１とレール６とは、図４及び図６に示すように、レール６に形成された貫通穴を通過する複数のねじ１３を連結部材１１の背面に形成されたねじ穴に係合させることによって取り付けられている。これにより、レール６は、連結部材１１を片持ち状態で保持する。
【００５３】
また、連結部材１１は、レール６のみならず、ディスク装置１の前側（最も前側）に位置するマガジンホルダ５に対して、装置奥行き方向Ｘに、例えばネジなどによって連結されている。このマガジンホルダ５は、上述したようにレール６に取り付けられているため、連結部材１１とレール６との構造体の剛性を高める筋交いとして機能する。その結果、マガジンユニット３全体の剛性も向上する。
【００５４】
さらに、連結部材１１の内部には、図５及び図７に示すように、装置幅方向Ｙに進退移動可能なロック部材１４が設けられている。ロック部材１４は、マガジンユニット３がディスク装置１内に収納された状態で、連結部材１１の外側に進出移動することにより、ディスク装置１の一部と接触可能になり、マガジンユニット３の装置奥行き方向Ｘの移動を規制する。なお、ロック部材１４は、例えば、ディスク装置１内で昇降するピッカーの一部に接触して押されることにより、連結部材１１の内側に後退移動する。これにより、マガジンユニット３の装置奥行き方向Ｘの移動の規制が解除される。
【００５５】
連結部材１１のロック部材１４の近傍には、図５及び図７に示すように、マガジンユニット３がディスク装置１内に収納されたとき、ディスク装置１の一部と接触し、マガジンユニット３の前部の装置高さ方向Ｚの位置を位置決めする位置決め部１５が設けられている。実施形態において、位置決め部１５は、ロック部材１４が進退移動する連結部材１１の側面に装置後側に突出するように設けられた突起部で構成されている。この場合、例えば、ディスク装置１の一部に設けられた凹部に当該突起部が挿入されることにより、マガジンユニット３の前部の装置高さ方向Ｚの位置が位置決めされる。
【００５６】
なお、マガジンユニット３の装置幅方向Ｙの位置は、レール６がディスク装置１の筐体の側面に沿って装置奥行き方向Ｘにスライド可能に取り付けられることにより位置決めされる。
【００５７】
このような連結部材１１の前側に対して、本実施の形態の場合、例えば、図９〜１１に示すように、カバー部材１０が、複数のねじ１６によって取り付けられている。具体的には、図１１に示すように、連結部材１１が、ディスク装置１の前側に向かって突出する複数のボス部１１ａ、１１ｂ、１１ｃを備え、これらのボス部１１ａ、１１ｂ、１１ｃが、カバー部材１０の裏側に当接する。連結部材１１において、ボス部１１ａ、１１ｂは装置幅方向Ｙの両側に設けられ、ボス部１１ｃは、装置幅方向Ｙの略中央であって且つ装置高さ方向Ｚの下側に設けられている。またこれらのボス部１１ａ、１１ｂ、１１ｃの頂部には、ねじ１６が通過する貫通穴が形成されている。
【００５８】
一方、図１０及び図１２に示すように、カバー部材１０の裏側において、連結部材１１の複数のボス部１１ａ、１１ｂ、１１ｃと当接することができる位置に、複数のボス部１０ｂ、１０ｃ、１０ｄが形成されている。このカバー部材１０の複数のボス部１０ｂ、１０ｃ、１０ｄの頂部には、ねじ１６と係合するめねじ穴が形成されている。このカバー部材１０のボス部１０ｂ、１０ｃ、１０ｄのめねじ穴に、連結部材１１のボス部１１ａ、１１ｂ、１１ｃの貫通穴を通過したねじ１６が係合することにより、連結部材１１に対してカバー部材１０が取り付けられる。
【００５９】
本実施形態の場合、図１２に示すように、連結部材１１に取り付けられるためのカバー部材１０のボス部１０ｂ、１０ｃ、１０ｄは、引掛部１０ａを囲むように設けられている。なお、カバー部材１０の外側表面に形成された凹部状の引掛部１０ａは、カバー部材１０の裏側表面上においては凸状である。
【００６０】
具体的には、図１０に示すように、カバー部材１０が連結部材１１に取り付けられた状態において、連結部材１１のボス部１１ａ、１１ｂが、引掛部１０ａに対して装置幅方向Ｙの両側に位置する。また、連結部材１１のボス部１１ｃは、カバー部材１０の引掛部１０ａに対して装置高さ方向Ｚの下側に位置する。これにより、引掛部１０ａに指を引っ掛けてマガジンユニット３を引き出すときにカバー部材１０の変形を抑制することができる。また、カバー部材１０と連結部材１１とを有する把手部７は、高い剛性を備えることができる。
【００６１】
さらにカバー部材１０の剛性を向上させるために、図９及び図１０に示すように、凹部状の引掛部１０ａの内側表面に、リブ１０ｅが設けられている。本実施の形態の場合、引掛け部１０ａの内側表面において、マガジンユニット３を引き出すときに指が引っ掛かる部分、すなわちディスク装置１の前側の部分に、装置高さ方向Ｚに延在する複数のリブ１０ｅが設けられている。この複数のリブ１０ｅを設けることにより、引掛部１０ａの剛性を向上させることができる。また、これらのリブ１０ｅは、指を引掛部１０ａに引っ掛けてマガジンユニット３を引き出すときに、滑り止めとしても機能する。
【００６２】
さらに、本実施の形態の場合、図９及び図１０に示すように、カバー部材１０の凹部状の引掛部１０ａの底部には、複数の貫通穴１０ｆが形成されている。これにより、カバー部材１０を軽量化することができる、すなわちマガジンユニット３を軽量化することができる。また、カバー部材１０が塗料を吹き付けて塗装される場合、貫通穴を介して引掛部１０ａ内の空気が逃げることにより、塗料が引掛部１０ａの内部まで到達することができる。その結果、外側表面のみならず、引掛部１０ａの内部まで塗装されたカバー部材１０を作製することができる。
【００６３】
本実施形態に係るディスク装置１によれば、マガジンストッカー２が、装置高さ方向Ｚに並んで配置された複数のマガジンユニット３を備えるように構成されている。これにより、１つ当たりのマガジンユニット３に収納されるマガジンの数を減らして、その重量を軽く（例えば、３ｋｇ以下）することができる。
【００６４】
また、本実施形態に係るディスク装置１によれば、マガジンホルダ５よりも高い剛性を有するレール６を備え、当該レール６が複数のマガジンホルダ５を片持ち状態で保持するようにしている。レール６が高い剛性を有することにより、マガジンユニット３全体の剛性を高くすることができる。
【００６５】
また、本実施形態に係るディスク装置１によれば、マガジンユニット３をディスク装置１から引き出すときに指が掛かる把手部７は、箱状であるために剛性が高く、また軽い。そのため、把手部７がほとんど撓み変形することなく、把手部７を引っ張る力が、ほぼ無駄なく、レール６をディスク装置１からスライド移動させるために使用される。また、把手部７を含むマガジンユニット３が軽量化される。その結果、マガジンユニット３の引き出しを小さい力で容易に行うことができる。また、これにより、マガジンユニット３の引き出しを容易にするための機構を設ける必要性を無くすことができるので、マガジンユニット３内に収納可能なマガジン４の数を従来よりも増加させることができる。
【００６６】
なお、本開示の実施形態は、上述の実施形態に限らない。
【００６７】
上述の実施形態に係るディスク装置１によれば、互いに隣接するマガジンホルダ５は、互いに係合するように構成されている。これにより、互いに隣接するマガジンホルダ５同士が互いに剛性を高め合い、マガジンホルダ５の変形を抑えることができる。
【００６８】
これに代わって、複数のマガジンホルダ５は、例えば樹脂により一体成形されてもよい。すなわち、マガジンホルダ５の連続体を一部品として作成するようにしてもよい。但し、この場合、マガジンホルダ５の連続体の長さが、かなり長尺（例えば、５００ｍｍ以上）になる。このため、大型の金型が必要になり、製造コストが高くなる。これに対し、本実施形態に係る構成によれば、１つのマガジンホルダ５を成形可能な小型の金型のみでよく、製造コストを抑えることができる。
【００６９】
また、上述の実施形態の場合、レール６は金属により形成されるものとしたが、本開示の実施形態はこれに限定されない。レール６は、マガジンユニット３全体の剛性を確保できる材料、すなわち、マガジンユニット３の変形を抑えられる材料で形成されればよい。
【００７０】
さらに、上述の実施形態の場合、図４及び図６に示すように、把手部７のカバー部材１０の引掛部１０ａは、装置奥行き方向Ｘ及び装置高さ方向Ｚに指が進入可能な凹部状であるが、本開示の実施形態はこれに限らない。すなわち、引掛部１０ａは、図１に示すようにマガジンユニット３が装置高さ方向Ｚに並んでいる場合に他のマガジンユニット３のカバー部材１０に妨害されずに指が進入できる凹部状であればよい。したがって、凹部状の引掛部１０ａは、少なくとも装置奥行き方向Ｘに指が進入できる凹部状であればよい。
【００７１】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７２】
また、前述の実施形態は、本開示における技術を例示するためのものであるから、特許請求の範囲又はその均等の範囲において種々の変更、置き換え、付加、省略などを行うことができる。
【産業上の利用可能性】
【００７３】
本開示にかかるディスク装置は、マガジンストッカーの引き出しを容易にするとともに、マガジンストッカー内に収納可能なマガジンの数を増加させることができるので、特に、多数のマガジンを備えるディスク装置に有用である。
【符号の説明】
【００７４】
１    ディスク装置
２    マガジンストッカー
３    マガジンユニット
４    マガジン
５    マガジンホルダ
５ａ  保持バネ
５ｂ  開口部
６    レール
７    把手部
８    ネジ
９    位置決め部
１０    箱状部材
１０ａ  引掛部
１０ｂ  ボス部
１０ｃ  ボス部
１０ｄ  ボス部
１０ｅ  リブ
１０ｆ  貫通穴
１１    連結部材
１１ａ  ボス部
１１ｂ  ボス部
１１ｃ  ボス部
１３    ねじ
１４    ロック部材
１５    位置決め部
１６    ねじ
【図１】
0006493827.tif 000002
【図２】
0006493827.tif 000003
【図３】
0006493827.tif 000004
【図４】
0006493827.tif 000005
【図５】
0006493827.tif 000006
【図６】
0006493827.tif 000007
【図７】
0006493827.tif 000008
【図８】
0006493827.tif 000009
【図９】
0006493827.tif 000010
【図１０】
0006493827.tif 000011
【図１１】
0006493827.tif 000012
【図１２】
0006493827.tif 000013
【図１３】
0006493827.tif 000014